(57)【要約】  簡素な構造で、一方のファスナーストリンガーをスライダーから容易に分離させることができるスライドファスナーを提供することにある。  一対のファスナーテープ２０の対向するテープ側縁部２０ａに沿って複数のファスナーエレメント３１を有するファスナーエレメント列３０が設けられる一対のファスナーストリンガー１１Ｌ，１１Ｒと、ファスナーエレメント列３０に沿って摺動可能に取り付けられ、ファスナーエレメント３１を噛合・分離させるスライダー４０と、を備え、一対のファスナーストリンガー１１Ｌ，１１Ｒに幅方向外側に向かう横引き力を加えることにより、一方のファスナーストリンガー１１Ｌがスライダー４０から分離されるスライドファスナー１０であって、スライダー４０の胴体５０の幅方向一方側の上側及び下側フランジ５４ａ，５４ｂの幅方向内側面を、幅方向内側から外側に向かうに従って次第に肉厚が大きくなる傾斜面５９ａ，５９ｂにそれぞれ形成する。
2012020491.tif 000002
【特許請求の範囲】
【請求項１】
一対のファスナーテープ（２０）の対向するテープ側縁部（２０ａ）に沿って複数のファスナーエレメント（３１）を有するファスナーエレメント列（３０）が設けられる一対のファスナーストリンガー（１１Ｌ，１１Ｒ）と、
前記ファスナーエレメント列に沿って摺動可能に取り付けられ、前記ファスナーエレメントを噛合・分離させるスライダー（４０）と、を備え、
前記一対のファスナーストリンガーに前記ファスナーテープの幅方向外側に向かう横引き力を加えることにより、一方の前記ファスナーストリンガー（１１Ｌ）が前記スライダーから分離されるスライドファスナー（１０）であって、
前記スライダーは、
上下方向に離間して平行配置される上翼板（５１）及び下翼板（５２）と、前記上翼板及び前記下翼板を前端部において連結する案内柱（５３）と、前記上翼板の左右両側縁に沿って下方に向けて突設される上側フランジ（５４ａ）と、前記下翼板の左右両側縁に沿って上方に向けて突設される下側フランジ（５４ｂ）と、前記上翼板の上面に設けられる引手取付部（５８Ｆ，５８Ｒ，７０，８０）と、を有する胴体（５０）と、
前記引手取付部に対して回動自在に取り付けられる引手（６０）と、を備え、
前記胴体の幅方向一方側の前記上側及び下側フランジの幅方向内側面を、幅方向内側から外側に向かうに従って次第に肉厚が大きくなる傾斜面（５９ａ，５９ｂ）にそれぞれ形成することを特徴とするスライドファスナー。
【請求項２】
前記胴体（５０）の幅方向他方側の前記上側及び下側フランジ（５４ａ，５４ｂ）の幅方向内側面は、前記上翼板（５１）及び前記下翼板（５２）の上下方向内側面に対して垂直方向に延びる垂直面（５９ｃ，５９ｄ）を有することを特徴とする請求項１に記載のスライドファスナー。
【請求項３】
前記傾斜面（５９ａ，５９ｂ）は、前記胴体（５０）の肩口（５５）側に形成される前部傾斜面（５９ａｆ，５９ｂｆ）、及び前記胴体の後口（５６）側に形成される後部傾斜面（５９ａｒ，５９ｂｒ）を有し、
前記前部傾斜面の傾斜角度（α）は、前記後部傾斜面の傾斜角度（β）より小さいことを特徴とする請求項１又は２に記載のスライドファスナー。
【発明の詳細な説明】
【技術分野】
【０００１】
この発明は、スライドファスナーに関し、特には、一対のファスナーストリンガーに横引き力を加えることにより、一方のファスナーストリンガーがスライダーから分離されるスライドファスナーに関する。
【背景技術】
【０００２】
従来のスライドファスナーとしては、上翼板を内側板と外側板の二重構造とし、引手を片側に倒して、内側板に対して外側板を緩めることにより、一方のファスナーストリンガーをスライダーから分離させるものが知られている（例えば、特許文献１参照）。
【先行技術文献】
【特許文献】
【０００３】
【特許文献１】米国特許第２６８１４９０号明細書
【発明の概要】
【発明が解決しようとする課題】
【０００４】
しかしながら、上記特許文献１に記載のスライドファスナーでは、上翼板を内側板と外側板の二重構造とするため、構造が複雑で、製造コストが増加してしまう可能性があった。また、上翼板の外側板及び下翼板の左右両側縁にそれぞれ形成されるフランジ（サイドレール）の幅方向内側面が垂直面に形成されるため、分離の際にファスナーエレメントがフランジに引っ掛かり、一方のファスナーストリンガーをスライダーから分離し難かった。【０００５】
本発明は、上述した事情に鑑みてなされたものであり、その目的は、簡素な構造で、一方のファスナーストリンガーをスライダーから容易に分離させることができるスライドファスナーを提供することにある。
【課題を解決するための手段】
【０００６】
本発明の上記目的は、下記の構成により達成される。
（１）一対のファスナーテープの対向するテープ側縁部に沿って複数のファスナーエレメントを有するファスナーエレメント列が設けられる一対のファスナーストリンガーと、ファスナーエレメント列に沿って摺動可能に取り付けられ、ファスナーエレメントを噛合・分離させるスライダーと、を備え、一対のファスナーストリンガーにファスナーテープの幅方向外側に向かう横引き力を加えることにより、一方のファスナーストリンガーがスライダーから分離されるスライドファスナーであって、スライダーは、上下方向に離間して平行配置される上翼板及び下翼板と、上翼板及び下翼板を前端部において連結する案内柱と、上翼板の左右両側縁に沿って下方に向けて突設される上側フランジと、下翼板の左右両側縁に沿って上方に向けて突設される下側フランジと、上翼板の上面に設けられる引手取付部と、を有する胴体と、引手取付部に対して回動自在に取り付けられる引手と、を備え、胴体の幅方向一方側の上側及び下側フランジの幅方向内側面を、幅方向内側から外側に向かうに従って次第に肉厚が大きくなる傾斜面にそれぞれ形成することを特徴とするスライドファスナー。
（２）胴体の幅方向他方側の上側及び下側フランジの幅方向内側面は、上翼板及び下翼板の上下方向内側面に対して垂直方向に延びる垂直面を有することを特徴とする（１）に記載のスライドファスナー。
（３）傾斜面は、胴体の肩口側に形成される前部傾斜面、及び胴体の後口側に形成される後部傾斜面を有し、前部傾斜面の傾斜角度は、後部傾斜面の傾斜角度より小さいことを特徴とする（１）又は（２）に記載のスライドファスナー。
【発明の効果】
【０００７】
本発明のスライドファスナーによれば、胴体の幅方向一方側の上側及び下側フランジの幅方向内側面を、幅方向内側から外側に向かうに従って次第に肉厚が大きくなる傾斜面にそれぞれ形成するため、分離側のファスナーストリンガーのファスナーエレメントが上側及び下側フランジの傾斜面に当接して、横引き力が傾斜面を介して上翼板及び下翼板に効率よく伝達される。これにより、上側及び下側フランジ間の間隙を容易に押し広げることができるので、簡素な構造で、分離側のファスナーストリンガーをスライダーから容易に分離させることができる。
【図面の簡単な説明】
【０００８】
【図１】本発明に係るスライドファスナーの一実施形態を説明する表面図である。
【図２】図１に示すスライダーの斜視図である。
【図３】図２に示すスライダーの平面図である。
【図４】図２に示すスライダーを後口側から見た後面図である。
【図５】図３のＡ−Ａ線断面図である。
【図６】上翼板を切り欠いた状態のスライドファスナーの拡大表面図である。
【図７】図６に示すスライドファスナーに横引き力が加わった状態を説明する拡大表面図である。
【図８】図７に示す分離側ファスナーストリンガーのエレメントがスライダーから抜け出し始めた状態を説明する拡大表面図である。
【図９】図８に示すエレメントがスライダーから更に抜け出した状態を説明する拡大表面図である。
【図１０】図９に示すエレメントがスライダーから完全に抜け出した状態を説明する拡大表面図である。
【図１１】分離側ファスナーストリンガーのエレメントがスライダーのフランジの前部傾斜面に接した状態を説明する部分断面図である。
【図１２】図１１に示すエレメントが前部傾斜面を押しながら前部傾斜面に乗り上がり、上側及び下側フランジ間の間隙を押し広げる状態を説明する部分断面図である。
【図１３】図１２に示すエレメントが前部傾斜面を乗り越えて、スライダーから抜け出す状態を説明する部分断面図である。
【図１４】分離側ファスナーストリンガーのエレメントがスライダーのフランジの後部傾斜面に接した状態を説明する部分断面図である。
【図１５】図１４に示すエレメントが後部傾斜面を押しながら後部傾斜面に乗り上がり、上側及び下側フランジ間の間隙を押し広げる状態を説明する部分断面図である。
【図１６】図１５に示すエレメントが後部傾斜面を乗り越えて、スライダーから抜け出す状態を説明する部分断面図である。
【図１７】本発明に係るスライドファスナーの変形例を説明する図１０に対応する拡大表面図である。
【図１８】本発明を逆開き具を有するスライドファスナーに適用した場合を説明する上翼板を切り欠いた状態の拡大表面図である。
【発明を実施するための形態】
【０００９】
以下、本発明に係るスライドファスナーの一実施形態について、図面に基づいて詳細に説明する。なお、以後の説明において、ファスナーテープに関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とし、スライダーに関しては、上側とは図１の紙面に対して手前側、下側とは図１の紙面に対して奥側、前側とは図１の紙面に対して上側、後側とは図１の紙面に対して下側、左側とは図１の紙面に対して左側、右側とは図１の紙面に対して右側とする。また、ファスナーテープ及びスライダーの左右方向は幅方向とも言う。また、ファスナーテープの上下方向は長さ方向とも言う。
【００１０】
本実施形態のスライドファスナー１０は、図１及び図６に示すように、左右一対のファスナーテープ２０の対向するテープ側縁部２０ａに沿って複数のファスナーエレメント３１を有するファスナーエレメント列３０が設けられる左右一対のファスナーストリンガー１１Ｌ，１１Ｒと、ファスナーエレメント列３０に沿って摺動可能に取り付けられ、ファスナーエレメント３１を噛合・分離させるスライダー４０と、左右一対のファスナーテープ２０のテープ側縁部２０ａの上端部にそれぞれ形成される上止部１２と、左右一対のファスナーテープ２０のテープ側縁部２０ａの下端部に形成される開き具１３と、を備える。
【００１１】
開き具１３は、右側のファスナーテープ２０のテープ側縁部２０ａの下端部に形成される箱棒１４及び箱体１５と、左側のファスナーテープ２０のテープ側縁部２０ａの下端部に形成され、箱体１５に挿入可能な蝶棒１６と、を備える。また、本実施形態では、蝶棒１６が設けられる左側のファスナーストリンガー１１Ｌがスライダー４０から分離可能な分離側ファスナーストリンガーであり、箱棒１４及び箱体１５が設けられる右側のファスナーストリンガー１１Ｒがスライダー４０から分離不能な固定側ファスナーストリンガーである。
【００１２】
ファスナーエレメント列３０は、複数のファスナーエレメント３１から構成されており、このファスナーエレメント３１は、例えば、ポリアミド、ポリアセタール、ポリプロピレン、ポリブチレンテレフタレートなどの合成樹脂を用いて、ファスナーテープ２０のテープ側縁部２０ａに射出成形されている。
【００１３】
スライダー４０は、図２〜図６に示すように、自動停止機能付きのスライダーであり、胴体５０、引手６０、停止爪体７０、及び引手保持カバー８０を備えている。
【００１４】
胴体５０は、上下方向に離間して平行配置される上翼板５１及び下翼板５２と、上翼板５１及び下翼板５２を前端部且つ幅方向中央部において連結する案内柱５３と、上翼板５１の左右両側縁に沿って下方に向けて突設される上側フランジ５４ａと、下翼板５２の左右両側縁に沿って上方に向けて突設される下側フランジ５４ｂと、を備える。これにより、胴体５０の前部には案内柱５３により分離された左右の肩口５５が形成され、胴体５０の後部には後口５６が形成される。そして、上翼板５１と下翼板５２との間には、左右の肩口５５と後口５６とを連通する略Ｙ字状のエレメント案内路５７が形成され、このエレメント案内路５７は、左右一対のファスナーエレメント列３０を挿通させる通路を構成する。
【００１５】
また、図４に示すように、胴体５０の左側の上側及び下側フランジ５４ａ，５４ｂ間の間隙の上下方向寸法Ｓ１は、右側の上側及び下側フランジ５４ａ，５４ｂ間の間隙の上下方向寸法Ｓ２より大きく設定されている。これにより、左側のファスナーストリンガー１１Ｌがスライダー４０から分離可能となる。
【００１６】
また、上翼板５１の上面の案内柱５３より右側（固定側ファスナーストリンガー１１Ｒ側）には、引手保持カバー８０を取り付けるための前部取付柱５８Ｆ及び後部取付柱５８Ｒが前後方向に並んで立設されている。そして、前部取付柱５８Ｆと後部取付柱５８Ｒとの間には、引手６０のリンク部６１及び停止爪体７０が収容され、前部取付柱５８Ｆ及び後部取付柱５８Ｒには、引手保持カバー８０が被せられると共にかしめにより固定されている。また、図５に示すように、上翼板５１には、停止爪体７０の停止爪７１を挿入させるための爪挿入穴５１ｂが形成されている。なお、本実施形態では、前部取付柱５８Ｆ、後部取付柱５８Ｒ、停止爪体７０、及び引手保持カバー８０により引手取付部が構成される。
【００１７】
また、上記したように、前部取付柱５８Ｆ及び後部取付柱５８Ｒが上翼板５１の案内柱５３より右側に形成されているので、案内柱５３より左側の上翼板５１の剛性が僅かに低減され、撓み易くなっている。これにより、左側の上翼板５１を容易に撓ませることが可能になるので、分離側ファスナーストリンガー１１Ｌをスライダー４０から容易に分離させることができる。
【００１８】
さらに、前部取付柱５８Ｆ及び後部取付柱５８Ｒと共に停止爪体７０も上翼板５１の案内柱５３より右側に配置されているので、図６に示すように、停止爪体７０の停止爪７１が固定側ファスナーストリンガー１１Ｒ側のファスナーエレメント３１間に挿入される。これにより、分離側ファスナーストリンガー１１Ｌ側のファスナーエレメント３１に停止爪７１が接触することがないので、分離側ファスナーストリンガー１１Ｌをスライダー４０からスムーズに分離させることができる。
【００１９】
また、図２、図３、及び図６に示すように、上翼板５１及び下翼板５２に、案内柱５３の左側の前部側面５３ａから幅方向外側（分離側ファスナーストリンガー１１Ｌ側）に向かって延びる切欠部５１ａ，５２ａがそれぞれ形成されている。このため、胴体５０の左側の上側及び下側フランジ５４ａ，５４ｂの前後方向長さが、胴体５０の右側の上側及び下側フランジ５４ａ，５４ｂより短くなるので、案内柱５３より左側の上翼板５１及び下翼板５２の剛性が僅かに低減され、撓み易くなっている。これにより、左側の上翼板５１及び下翼板５２を容易に撓ませることが可能になるので、分離側ファスナーストリンガー１１Ｌをスライダー４０から容易に分離させることができる。
【００２０】
また、切欠部５１ａ，５２ａは、案内柱５３の左側の前部側面５３ａと後部側面５３ｂの境界から幅方向外方且つ後方に斜めに延びた後、中程で屈曲し幅方向外方且つ前方に斜めに延びるように形成される。
【００２１】
また、図２及び図４に示すように、胴体５０の左側の上側及び下側フランジ５４ａ，５４ｂの幅方向内側面を、幅方向内側から外側に向かうに従って次第に肉厚が大きくなる傾斜面５９ａ，５９ｂにそれぞれ形成している。さらに、傾斜面５９ａ，５９ｂは、図１１及び図１４に示すように、胴体５０の肩口５５側に形成される前部傾斜面５９ａｆ，５９ｂｆ、及び胴体５０の後口５６側に形成される後部傾斜面５９ａｒ，５９ｂｒをそれぞれ有し、前部傾斜面５９ａｆ，５９ｂｆの傾斜角度αは、後部傾斜面５９ａｒ，５９ｂｒの傾斜角度βより小さく設定されている。また、本実施形態では、傾斜角度αは３０°、傾斜角度βは４５°に設定されている。なお、傾斜角度α，βは、α＜βの条件を満たしていれば任意であり、好ましくは、傾斜角度αは２０°〜４０°、傾斜角度βは３０°〜６０°である。また、傾斜角度α，βを同一に設定して１つ傾斜面としてもよい。
【００２２】
このため、図１１及び図１４に示すように、横引き力が加えられた分離側ファスナーストリンガー１１Ｌのファスナーエレメント３１の上下の角部が上側及び下側フランジ５４ａ，５４ｂの前部傾斜面５９ａｆ，５９ｂｆ及び後部傾斜面５９ａｒ，５９ｂｒにそれぞれ当接するので、横引き力が前部傾斜面５９ａｆ，５９ｂｆ及び後部傾斜面５９ａｒ，５９ｂｒを介して上翼板５１及び下翼板５２に効率よく伝達される。これにより、図１２、図１３、図１５、及び図１６に示すように、上側及び下側フランジ５４ａ，５４ｂ間の間隙を容易に押し広げることが可能になるので、分離側ファスナーストリンガー１１Ｌをスライダー４０から容易に分離させることができる。
【００２３】
また、前部傾斜面５９ａｆ，５９ｂｆの傾斜角度αが、後部傾斜面５９ａｒ，５９ｂｒの傾斜角度βより小さく設定されているので、前部傾斜面５９ａｆ，５９ｂｆの方が後部傾斜面５９ａｒ，５９ｂｒよりファスナーエレメント３１が乗り越え易くなっている。また、前部傾斜面５９ａｆ，５９ｂｆを小さい角度の傾斜角度αに設定し、後部傾斜面５９ａｒ，５９ｂｒを大きい角度の傾斜角度βに設定したので、前部傾斜面５９ａｆ，５９ｂｆにおいてはファスナーエレメント３１が抜け出し易く、後部傾斜面５９ａｒ，５９ｂｒにおいてはファスナーエレメント３１が抜け出し難くなる。このため、分離側ファスナーストリンガー１１Ｌに少しの横引き力が加わったとしても、大きい角度の後部傾斜面５９ａｒ，５９ｂｒによりファスナーエレメント３１の不用意な抜け出しが防止される。これにより、分離側ファスナーストリンガー１１Ｌをスライダー４０から分離する機能とスライドファスナーとしての機能とを両立することが可能となる。
【００２４】
また、図４に示すように、胴体５０の右側の上側及び下側フランジ５４ａ，５４ｂの幅方向内側面は、上翼板５１及び下翼板５２の上下方向内側面に対して垂直方向に延びる垂直面５９ｃ，５９ｄをそれぞれ有する。
【００２５】
このように構成されたスライドファスナー１０では、左右一対のファスナーストリンガー１１Ｌ，１１Ｒに幅方向外側に向かう横引き力が加えられることにより（図７参照）、分離側ファスナーストリンガー１１Ｌのエレメント案内路５７内の最も肩口５５側に位置し噛合していない第１ファスナーエレメント３１ａ（ファスナーエレメント３１）が、上側及び下側フランジ５４ａ，５４ｂの前部傾斜面５９ａｆ，５９ｂｆにそれぞれ当接し（図１１参照）、上側及び下側フランジ５４ａ，５４ｂ間の間隙を押し広げると共に、上翼板５１及び下翼板５２の案内柱５３より左側の部分を撓ませて（図８、図９、図１２、図１３参照）、スライダー４０から抜け出す。次いで、第１ファスナーエレメント３１ａの次の第２ファスナーエレメント３１ｂは、第１ファスナーエレメント３１ａと同様にしてスライダー４０から抜け出す。次いで、第２ファスナーエレメント３１ｂの次の第３ファスナーエレメント３１ｃは、上側及び下側フランジ５４ａ，５４ｂの後部傾斜面５９ａｒ，５９ｂｒにそれぞれ当接し（図１４参照）、上側及び下側フランジ５４ａ，５４ｂ間の間隙を押し広げると共に、上翼板５１及び下翼板５２の案内柱５３より左側の部分を撓ませて（図１５、図１６参照）、スライダー４０から抜け出す。従って、第１〜第３ファスナーエレメント３１ａ〜３１ｃが上側及び下側フランジ５４ａ，５４ｂを乗り越え、スライダー４０から順次抜け出すことにより、分離側ファスナーストリンガー１１Ｌがスライダー４０から分離される（図１０参照）。
【００２６】
以上説明したように、本実施形態のスライドファスナー１０によれば、胴体５０の左側の上側及び下側フランジ５４ａ，５４ｂの幅方向内側面を、幅方向内側から外側に向かうに従って次第に肉厚が大きくなる傾斜面５９ａ，５９ｂにそれぞれ形成するため、分離側ファスナーストリンガー１１Ｌのファスナーエレメント３１が上側及び下側フランジ５４ａ，５４ｂの傾斜面５９ａ，５９ｂに当接して、横引き力が傾斜面５９ａ，５９ｂを介して上翼板５１及び下翼板５２に効率よく伝達される。これにより、上側及び下側フランジ５４ａ，５４ｂ間の間隙を容易に押し広げることができるので、簡素な構造で、分離側ファスナーストリンガー１１Ｌをスライダー４０から容易に分離させることができる。
【００２７】
なお、本実施形態の変形例として、図１７に示すように、上翼板５１及び下翼板５２に切欠部５１ａ，５２ａを形成していなくてもよい。この場合、胴体５０の左側の上側及び下側フランジ５４ａ，５４ｂの前後方向長さは、胴体５０の右側の上側及び下側フランジ５４ａ，５４ｂと略同一となる。
【００２８】
なお、本発明は上記実施形態に例示したものに限定されるものではなく、本発明の要旨を逸脱しない範囲において適宜変更可能である。
例えば、本実施形態では、自動停止機能付きのスライダーに本発明を適用した場合を例示したが、これに限定されず、前部取付柱５８Ｆ及び後部取付柱５８Ｒの部分に引手６０を取り付けるための引手取付柱を代わりに立設した自動停止機能の付いていないスライダーに本発明を適用してもよい。
【００２９】
また、本実施形態では、左右一対のファスナーテープ２０の下端部に開き具１３が設けられているが、これに限定されず、図１８に示すように、開き具１３の代わりに逆開き具９０を設けてもよい。この逆開き具９０は、上記スライダー４０と同一構成の上側スライダー９１と、上側スライダー９１の下側に後口５６を対向させて設けられる下側スライダー９２と、右側のファスナーテープ２０のテープ側縁部２０ａの下端部に形成される箱棒９３と、左側のファスナーテープ２０のテープ側縁部２０ａの下端部に形成され、上側及び下側スライダー９１，９２内に挿入可能な蝶棒９４と、を備える。
【００３０】
そして、この逆開き具９０では、上側スライダー９１を上方（下側スライダー９２から離れる方向）に移動すると、分離状態の左右一対のファスナーエレメント列３０が噛合し、下方（下側スライダー９２に接近する方向）に移動すると、噛合状態の左右一対のファスナーエレメント列３０が分離する。また、下側スライダー９２を上方（上側スライダー９１に接近する方向）に移動すると、噛合状態の左右一対のファスナーエレメント列３０が分離し、下方（上側スライダー９１から離れる方向）に移動すると、分離状態の左右一対のファスナーエレメント列３０が噛合する。
【００３１】
下側スライダー９２は、下側スライダー９２の前後方向の前側を案内柱５３側としたとき、上側スライダー９１と比較して、切欠部５１ａ，５２ａ、爪挿入穴５１ｂ、前部及び後部取付柱５８Ｆ，５８Ｒ、前後方向長さの短い上側及び下側フランジ５４ａ，５４ｂ、及び傾斜面５９ａ，５９ｂなどが左右逆側に配置されている。
【００３２】
また、この逆開き具９０では、上側及び下側スライダー９１，９２の両方ともに、蝶棒９４が挿入される側（分離側ファスナーストリンガー１１Ｌ側）の上側及び下側フランジ５４ａ，５４ｂ間の間隙からファスナーエレメント３１が分離可能である。
【符号の説明】
【００３３】
１０    スライドファスナー
１１Ｌ  ファスナーストリンガー（分離側ファスナーストリンガー）
１１Ｒ  ファスナーストリンガー（固定側ファスナーストリンガー）
２０    ファスナーテープ
２０ａ  テープ側縁部
３０    ファスナーエレメント列
３１    ファスナーエレメント
４０    スライダー
５０    胴体
５１    上翼板
５１ａ  切欠部
５２    下翼板
５２ａ  切欠部
５３    案内柱
５３ａ  前部側面
５４ａ  上側フランジ
５４ｂ  下側フランジ
５８Ｆ  前部取付柱（引手取付部）
５８Ｒ  後部取付柱（引手取付部）
５９ａ  傾斜面
５９ａｆ  前部傾斜面
５９ａｒ  後部傾斜面
５９ｂ  傾斜面
５９ｂｆ  前部傾斜面
５９ｂｒ  後部傾斜面
５９ｃ  垂直面
５９ｄ  垂直面
６０    引手
７０    停止爪体（引手取付部）
８０    引手保持カバー（引手取付部）
α    前部傾斜面の傾斜角度
β    後部傾斜面の傾斜角度
【図１】
2012020491.tif 000003
【図２】
2012020491.tif 000004
【図３】
2012020491.tif 000005
【図４】
2012020491.tif 000006
【図５】
2012020491.tif 000007
【図６】
2012020491.tif 000008
【図７】
2012020491.tif 000009
【図８】
2012020491.tif 000010
【図９】
2012020491.tif 000011
【図１０】
2012020491.tif 000012
【図１１】
2012020491.tif 000013
【図１２】
2012020491.tif 000014
【図１３】
2012020491.tif 000015
【図１４】
2012020491.tif 000016
【図１５】
2012020491.tif 000017
【図１６】
2012020491.tif 000018
【図１７】
2012020491.tif 000019
【図１８】
2012020491.tif 000020
【国際調査報告】
2012020491.tif 000021
2012020491.tif 000022
2012020491.tif 000023